【手続補正書】
【提出日】平成22年12月27日(2010.12.27)
【手続補正１】
【補正対象書類名】明細書
【補正対象項目名】００２６
【補正方法】変更
【補正の内容】
【００２６】
第二の導入器５は、第二のガイドワイヤカテーテル２１を有する。第二のガイドワイヤカテーテル２１は、装置１の遠位側端にある取っ手２３を経由して、装置の近位側端にある第二の導入器の拡張器またはノーズコーン拡張器２５にまで延びている。第二の導入器５はまた、取っ手２３から第二の止血シール２９を経由して延びる第二の押し込みカテーテル２７を含む。第二の内側シース３１は、止血シール２９から第二の導入器の拡張器２５にまで延びる。
【手続補正２】
【補正対象書類名】明細書
【補正対象項目名】００３６
【補正方法】変更
【補正の内容】
【００３６】
図５は、図１の送達装置を用いた送達のための、他の実施の形態の腹腔鏡導管を示す。本実施の形態では、導管９０は波状の管状体９１からなり、管状体９１は、生体適合性のあるグラフト材料製の、各々の端部から延びる管状部９２，９４を有する。管状部９２，９４の各々は、管の端部に結合された、少なくとも一つのバルーン拡張可能なステント９３，９５を有する。波状部分の両端の中間に、予め設置された縫合糸９６を用いて閉じられることのできる、開口９７が形成される。
【手続補正３】
【補正対象書類名】明細書
【補正対象項目名】００６３
【補正方法】変更
【補正の内容】
【００６３】
送達装置は、アクセスバルブを有する外側導入シースを介して延びる、一対の内側導入器を有する。内側導入器の各々は、ノーズコーン拡張器と、ガイドワイヤカテーテルと、取っ手に向かって後方に延びる導入カテーテルと、シースとを有する。各々のシースは、その遠位側端において、アクセスバルブを有する。シースは、その近位側端からシースの側部開口に向かって後方に延びる、一本の線の脆弱部を有する
【手続補正４】
【補正対象書類名】特許請求の範囲
【補正対象項目名】全文
【補正方法】変更
【補正の内容】
【特許請求の範囲】
【請求項１】
バイパス導管送達装置（１）において、
第一端（８３，９３）と、第二端（８４，９４）と、中間部（８２，９１）との設けられたバイパス導管（８０，９０）を移送するための、別々に操作可能な第一および第二の導入器（３，５）を備え、前記バイパス導管は、実質的にＵ字状で前記導入器に装着可能であって、前記第一の導入器（３）に保持された前記バイパス導管（８０，９０）の前記第一端および第一部分と、前記第二の導入器（５）に保持された前記バイパス導管の前記第二端および第二部分と、前記第一および第二の導入器（３，５）の間に延びる前記中間部（８２，９１）とを有し、前記第一および第二の導入器（３，５）の各々は、前記バイパス導管の前記第一部分（８３，９３）および前記第二部分（８４，９４）をそれぞれ第一および第二の導入器（３，５）に収容するために操作可能な、その周りに同軸の裂き分け可能なシース（１７，３１）を含み、各々の裂き分け可能なシース（１７，３１）は、開口（１８，３２）を含み、前記シースのそれぞれの前記開口（１８，３２）を介して、前記第一の導入器（３）と前記第二の導入器（５）との間に、前記バイパス導管（８０，９０）の前記中間部（８２，９１）を延在させ、
前記バイパス導管は、前記中間部に形成された開口（８７，８７ａ，９５）を含み、前記第一および第二の導入器（３，５）は、前記バイパス導管の前記開口を通過して操作可能であり、
前記第一および第二の導入器を被覆する主シース（４２）を備える、バイパス導管送達装置（１）。
【請求項２】
前記第一および第二の導入器（３，５）は、並んで配置される、請求項１に記載のバイパス導管送達装置。
【請求項３】
前記バイパス導管の前記開口（８７，８７ａ，９５）は、前記第一および第二の導入器（３，５）を取り除いた後に前記開口を閉塞させるために、予め縫合糸により縫い合わされており、前記第一および第二の導入器（３，５）は、前記予め縫い合わされた開口を通過できる、請求項１または請求項２に記載のバイパス導管送達装置。
【請求項４】
前記第一および第二の導入器（３，５）の各々は、その内部にガイドワイヤ管腔（７，２１）を備える、請求項１から請求項３のいずれかに記載のバイパス導管送達装置。
【請求項５】
前記第一および第二の裂き分け可能なシース（１７，３１）の各々は、シース操作部（１５，９，２９，２３）にまで延びる、請求項１から請求項４のいずれかに記載のバイパス導管送達装置。
【請求項６】
前記第一および第二の導入器（３，５）の各々は、押し込み部（１３，２７）と、その中を通る押し込み管腔と、前記押し込み管腔を通って延びるガイドワイヤカテーテル（１７，２１）と、前記ガイドワイヤカテーテルに装着されたノーズコーン拡張器（１１，２５）と、を備える、請求項１から請求項５のいずれかに記載のバイパス導管送達装置。
【請求項７】
前記主シース（４２）には、止血シールが設けられる、請求項１から請求項６のいずれかに記載のバイパス導管送達装置。
【請求項８】
前記バイパス導管は、生体適合性のあるグラフト材料製の管状体（９０）と、波状の中間部（９１）と、その各端（９２，９４）に少なくとも一つのバルーン拡張可能なステント（９３，９５）と、を備え、前記第一および第二の導入器（３，５）の各々は、拡張可能なバルーンを含む、請求項１から請求項６のいずれかに記載のバイパス導管送達装置。
【請求項９】
止血シールを組み入れたアクセスバルブを含んだ内視鏡アクセスポートを含む、請求項１から請求項８のいずれかに記載のバイパス導管送達装置。
【請求項１０】
患者の脈管系をバイパスする際に用いるバイパス導管（８０，９０）であって、第一端（８３，９３）と、第二端（８４，９４）と、中間部（８２，９１）と、前記中間部（８２，９１）に形成された細隙状の開口（８７，８７ａ、９５）と、予め緩く前記開口に縫い付けられ、結わえた後に固く結ばれたままとなる、少なくとも一つの縫合糸（４７，８８，８８ａ，９６）とを含み、前記バイパス導管は、導入器の構成要素が通過する経路として前記縫合糸の縫われた前記開口が開いているように、実質的にＵ字状に弾性的に変形可能である、バイパス導管。
【請求項１１】
前記バイパス導管（８０）は、生体適合性のあるグラフト材料製の管状体と、複数の自己拡張するステント（８５，８５ａ）とを備える、請求項１０に記載のバイパス導管。
【請求項１２】
前記バイパス導管の前記第一端（８３）および前記第二端（８４）にある複数の自己拡張するステント（８５ａ）の少なくとも一つは前記管状体の内部に位置し、前記複数のステントのうちの他のステントは前記管状体の外部に位置する、請求項１１に記載のバイパス導管。
【請求項１３】
前記バイパス導管は、生体適合性のあるグラフト材料製の管状体（９０）と、波状の中間部（９１）と、その各端（９２，９４）に少なくとも一つのバルーン拡張可能なステント（９３，９５）と、を備える、請求項１０に記載のバイパス導管。
【請求項１４】
第一端（８３，９３）と、第二端（８４，９４）と、中間部（８２，９１）との設けられたバイパス導管（８０，１９０）を移送するための、別々に操作可能な第一および第二の導入器（３，５）を備え、前記バイパス導管は、実質的にＵ字状で前記導入器に装着可能であって、前記第一の導入器（３）に保持された前記バイパス導管（８０，９０）の前記第一端および第一部分と、前記第二の導入器（５）に保持された前記バイパス導管の前記第二端および第二部分と、前記第一および第二の導入器（３，５）の間に延在する前記中間部（８２，９１）とを有する、バイパス導管送達装置（１）と、
患者の脈管系をバイパスする際に用いられ、第一端（８３，９３）と、第二端（８４，９４）と、中間部（８２，９１）と、前記中間部（８２，９１）に形成された開口（８７，８７ａ、９５）と、予め緩く前記開口に縫い付けられた少なくとも一つの縫合糸（４７，８８，８８ａ，９６）とを含み、前記導入器が通過する経路として前記縫合糸の縫われた前記開口が開いているように、実質的にＵ字状に弾性的に変形可能である、バイパス導管（８０，９０）とを含む、組立体。
【手続補正５】
【補正対象書類名】図面
【補正対象項目名】図５
【補正方法】変更
【補正の内容】
【図５】
2010516427.tif 000001